(57)【要約】【課題】乗用型芝刈機において、モアの刈刃やブロアの風により刈芝をダクトから集草部に供給するように構成した場合、モアの刈刃やブロアの風による騒音が集草部の排風部から外方に出て行くような状態を抑える。【解決手段】刈芝を機体の後部に備えられた集草部５にダクト２２を介して供給するように構成し、ダクト２２から供給される風を排出する排風部３０を集草部５に備える。遮音体３８により集草部５の右及び左の横側部を覆い、集草部５の後部を開放する開放部３９を備える。【選択図】        図３
2004229561.tif 000002
【特許請求の範囲】
【請求項１】
モアと、前記モアから排出された刈芝を後方に案内するダクトとを機体に備え、刈芝を機体の後部に備えられた集草部に前記ダクトを介して供給するように構成し、前記ダクトから供給される風を排出する排風部を前記集草部に備えると共に、
遮音体により前記集草部の右及び左の横側部を覆って、前記集草部から右及び左の横外方に出る騒音を前記遮音体により抑えるように構成し、前記集草部の後部を開放する開放部を備えてある乗用型芝刈機。
【請求項２】
前記遮音体が可撓性を備えたシート状に構成されている請求項１に記載の乗用型芝刈機。
【請求項３】
前記集草部の右及び左の横側部から所定間隔を置いて前記遮音体が配置されている請求項１又は２に記載の乗用型芝刈機。
【発明の詳細な説明】
【０００１】
【発明の属する技術分野】
本発明は、乗用型芝刈機における遮音の構造に関する。
【０００２】
【従来の技術】
乗用型芝刈機では例えば特許文献１に開示されているように、モア（特許文献１の図１及び図２中の４）、及びダクト（特許文献１の図１及び図２中の１７）を機体に備え、機体の後部に集草部（特許文献１の図１及び図２中の６）を備えて、モアから排出された刈芝をダクトを介して集草部に供給するように構成したものが多くある。この場合、モアの刈刃（特許文献１の図２中の１４）の回転によって発生した風により、刈芝をダクトから集草部に供給したり、モアとは別にブロアを備えて、ブロアの風により刈芝をダクトから集草部に供給したりするように構成する。
【０００３】
前述のように、モアの刈刃やブロアの風により刈芝を集草部に供給するように構成した場合、特許文献１の構造によると、集草部に刈芝が充分に詰め込まれるようにする為に、ダクトから供給される風を排出する排風部（特許文献１の図５中の３７，３８）を、集草部の右及び左の横側部や後部に備えている。
【０００４】
【特許文献１】
特開２００２−２３８３２３号公報（図１，２，３，５）
【０００５】
【発明が解決しようとする課題】
特許文献１の構造によると、モアの刈刃やブロアの風により刈芝をダクトから集草部に供給するように構成しており、ダクトから供給される風を排出する排風部を集草部に備えているので、モアの刈刃やブロアの風による騒音が集草部の排風部から外方に出て行くような状態となっている。これにより、モアの刈刃やブロアの風による騒音を抑えると言う面で、改善の余地がある。
本発明は、乗用型芝刈機において、モアの刈刃やブロアの風により刈芝をダクトから集草部に供給するように構成した場合、モアの刈刃やブロアの風による騒音が集草部の排風部から外方に出て行くような状態を抑えることを目的としている。
【０００６】
【課題を解決するための手段】
［Ｉ］
乗用型芝刈機において、モアと、モアから排出された刈芝を後方に案内するダクトとを機体に備え、刈芝を機体の後部に備えられた集草部にダクトを介して供給するように構成し、ダクトから供給される風を排出する排風部を集草部に備えた場合、請求項１の特徴によると、遮音体により集草部の右及び左の横側部を覆って、集草部から右及び左の横外方に出る騒音を遮音体により抑えるように構成し、集草部の後部を開放する開放部を備えてある。
これにより、請求項１の特徴によると、モアの刈刃やブロアの風による騒音が遮音体によって抑えられ、モアの刈刃やブロアの風による騒音が集草部から右及び左の横外方に出て行く状態が抑えられる。
【０００７】
この場合、請求項１の特徴によると、集草部の後部を開放する開放部を備えているので、集草部の後部における開放部の部分から、モアの刈刃やブロアの風が良く排出される状態（遮音体によって邪魔されない状態）となる。これにより、請求項１の特徴によると、モアの刈刃やブロアの風が集草部の排風部から排出され難いことにより、集草部に刈芝が充分に詰め込まれないと言う状態を避けることができるのであり、集草部の右及び左側に均等に刈芝が詰め込まれるようにすると言う面で有利なものとなる。
【０００８】
［ＩＩ］
請求項２の特徴によると、請求項１の場合と同様に前項［Ｉ］に記載の「作用」を備えており、これに加えて以下のような「作用」を備えている。
請求項２の特徴によると、遮音体が可撓性を備えたシート状に構成されているので、前項［Ｉ］に記載のようにモアの刈刃やブロアの風による騒音が集草部から右及び左の横外方に出て行く状態を抑える為に、例えば遮音体を地面に接するまで下方に延出しても、走行時に地面に沿って馴染むように遮音体が変位するのであり、遮音体が走行の邪魔になるようなことがない。
【０００９】
［ＩＩＩ］
請求項３の特徴によると、請求項１又は２の場合と同様に前項［Ｉ］［ＩＩ］に記載の「作用」を備えており、これに加えて以下のような「作用」を備えている。
請求項３の特徴によると、集草部の右及び左の横側部から所定間隔を置いて遮音体が配置されており、集草部の右及び左の横側部と遮音体との間に空間が形成されている。これにより、請求項３の特徴によると、モアの刈刃やブロアの風が集草部の排風部から前述の空間を介して排出され易くなるのであり、モアの刈刃やブロアの風が遮音体により集草部の排風部から排出され難くなる状態を避けることができる。
【００１０】
【発明の実施の形態】
図１及び図３に示すように、機体フレーム１に右及び左の前輪２が備えられ、右及び左の後輪３が備えられて機体が構成されており、右及び左の前輪２と右及び左の後輪３との間にモア４が備えられ、機体の後部に箱状の集草部５が備えられて、乗用型芝刈機が構成されている。
【００１１】
図１及び図３に示すように、機体フレーム１の中央の上部に運転座席６が備えられ、運転座席６の後方にエンジン７が備えられており、エンジン７の動力が伝動軸８を介して伝動ケース９に伝達されている。右及び左の静油圧式無段変速装置１０が備えられ、右及び左の静油圧式無段変速装置１０から下方に右及び左の伝動ケース１１が延出されて、右及び左の伝動ケース１１に右及び左の後輪３が支持されている。これにより、伝動ケース９の動力が右及び左の静油圧式無段変速装置１０、右及び左の伝動ケース１１を介して、右及び左の後輪３に伝達される。
【００１２】
図１及び図３に示すように、右及び左の前輪２は、前部の縦軸芯Ｐ１周りに自由に向きを変えるキャスター車輪に構成されている。右及び左の静油圧式無段変速装置１０は前進及び後進の高速側に無段階に変速自在に構成されており、右及び左の静油圧式無段変速装置１０を操作する右及び左の変速レバー１６が、運転座席６の右及び左横側に備えられている。従って、右及び左の変速レバー１６により、右及び左の静油圧式無段変速装置１０を独立に前進及び後進の高速側、中立位置に操作することによって、機体を前進及び後進、停止、右及び左旋回させる。
【００１３】
図１及び図３に示すように、伝動ケース９の内部に作業クラッチ（図示せず）が備えられており、作業クラッチの動力が伝動軸１２を介して前部の伝動ケース１３に伝達されて、伝動軸１４を介してモア４の入力ケース１５に伝達されている。モア４はモアデッキ１７の内部に２つの刈刃１８を縦軸芯周りに回転自在に備えて構成されており、入力ケース１５がモアデッキ１７の左側の上部に備えられて、入力ケース１５に伝達された動力により左の刈刃１８が図３の紙面時計方向に回転駆動される。入力ケース１５に伝達された動力が伝動ベルト１９により右の刈刃１８に伝達されて、右の刈刃１８が図３の紙面反時計方向に回転駆動される。
【００１４】
図１に示すように、機体フレーム１にリンク２０が上下に揺動自在に支持されて、リンク２０が斜め後方下方に延出されており、リンク２０にモア４が支持されている。リンク２０を上方に駆動する単動型の油圧シリンダ（図示せず）、油圧シリンダに作動油を供給及び排出する制御弁（図示せず）、制御弁を操作する操作ペダル（図示せず）が備えられており、リンク２０の下限位置を決めるストッパー機構（図示せず）が備えられている。
【００１５】
以上の構造により、作業走行時は自重によりモア４を下降させておくのであり（リンク２０の下限位置）、ストッパー機構によりリンク２０の下限位置を上下に変更することによって、機体に対するモア４の位置を上下に変更する（モア４による芝の刈り高さを上下に変更する）。移動走行時は操作ペダルを踏み操作して油圧シリンダにより、モア４を上限位置（リンク２０の上限位置）に上昇駆動するのであり、これによってモア４が地面の障害物に当たったりしないようにすることができる。
【００１６】
図１及び図３に示すように、モアデッキ１７の左右中央の後部に、斜め後方上方に向く刈芝排出口２１が備えられ、右及び左の伝動ケース１１の間においてダクト２２が機体に固定されて、刈芝排出口２１がダクト２２に挿入されており、ダクト２２の後部が集草部５に挿入されている。これにより、モア４において刈刃１８により芝が刈り取られ、刈り取られた刈芝が刈刃１８の回転によって発生した風により、刈芝排出口２１からダクト２２に供給され、ダクト２２から集草部５に供給される。
【００１７】
図１及び図３に示すように、集草部５は前壁部２３、本体部２４及び天井部２５を備えて、箱状に構成されている。機体フレーム１に連結されたアーチ状のフレーム２６の右及び左側部に、上リンク２７及び下リンク２８が上下に揺動自在に支持されており、下リンク２８を上昇及び下降駆動する昇降シリンダ２９が備えられている。集草部５において、前壁部２３は排風部を備えない壁状に構成され、ダクト２２が挿入される入口２３Ａが左右中央に開口されており、上及び下リンク２７，２８が前壁部２３に揺動自在に連結されている。
【００１８】
図１，３，４に示すように、集草部５において、本体部２４は底部分、後壁部分、右及び左の横壁部分、天井部分を備えて構成されており、前壁部分は備えていない。良好な通風機能を持つパンチングメタル３０が、本体部２４の右及び左の横壁部分、後壁部分、天井部分に取り付けられており、本体部２４の底部分は壁状に構成されて通風機能は備えていない。本体部２４が前壁部２３の横軸芯Ｐ２周りに上下に揺動自在に支持されており、前壁部２３に対して本体部２４を上昇及び下降駆動する昇降シリンダ３１が備えられている。
集草部５において、天井部２５は本体部２４の外周部よりも少し大きな蓋状に構成されて、通風機能は備えておらず、本体部２４の天井部分から上方に所定間隔を置いて、天井部２５が本体部２４に固定されている。
【００１９】
以上の構造により図１，３，４に示す作業状態において、前述のように刈芝が刈刃１８の回転によって発生した風によりダクト２２から集草部５に供給されると、刈刃１８の回転によって発生した風が、本体部２４（集草部５）の右及び左の横壁部分（パンチングメタル３０）、後壁部分（パンチングメタル３０）から右及び左の横外方、後方に排出されるのであり、刈刃１８の回転によって発生した風が、本体部２４（集草部５）の天井部分（パンチングメタル３０）から上方に排出され、天井部２５（集草部５）の内面に沿って案内されて、右及び左の横外方、後方に排出される。これにより、刈芝が集草部５の右及び左側に均等に詰め込まれながら、集草部５に充分に詰め込まれていく。
【００２０】
次に芝刈作業が終了した場合、図１に示す昇降シリンダ２９により上及び下リンク２７，２８を上昇駆動すると、集草部５が平行に上昇駆動されるのであり、昇降シリンダ３１を収縮作動させると、前壁部２３（集草部５）に対し本体部２４（集草部５）及び天井部２５（集草部５）が横軸芯Ｐ２周りに上昇駆動（図１の紙面反時計方向）される。これにより、前壁部２３（集草部５）から本体部２４（集草部５）が離れて、刈芝が本体部２４（集草部５）から下方に排出される（排出状態）。
【００２１】
図２及び図３に示すように、右及び左の前輪２の間において、機体フレーム１から前方にステー３２が延出されて、ステー３２に左右向きのステー３３が固定されており、ステー３３に遮蔽体３４が取り付けられている。遮蔽体３４は可撓性を備えたシート状に構成されており（例えばビニールシート等）、遮蔽体３４が右及び左の前輪２の間に位置し、自重で垂れ下がって、地面に接する状態となっている。
【００２２】
図２及び図３に示すように、右の前輪２及び後輪３の間、左の前輪２及び後輪３の間において、機体フレーム１から右及び左の横外方にステー３５が延出されて、ステー３５に前後向きのステー３６が固定されており、ステー３６に遮蔽体３７が取り付けられている。遮蔽体３７は可撓性を備えたシート状に構成されており（例えばビニールシート等）、遮蔽体３７が右の前輪２及び後輪３の間、左の前輪２及び後輪３の間でモア４の右及び左の横外方に位置し、自重で垂れ下がって、地面に接する状態となっている。
【００２３】
図２，３，４に示すように、集草部５の右及び左の横側部において、右及び左の遮蔽体３８が天井部２５（集草部５）の外周部分に取り付けられている。右及び左の遮蔽体３８は可撓性を備えたシート状に構成されており（例えばビニールシート等）、本体部２４（集草部５）の右（左）の横壁部分、前壁部２３（集草部５）の右（左）の部分、本体部２４（集草部５）の後壁部分の右（左）の部分に配置されている。図３に示すように、前壁部２３（集草部５）において、右及び左の遮蔽体３８の前の端部が所定間隔を置いて離れており、右及び左の遮蔽体３８の前の端部の間にダクト２２が挿入されている。
【００２４】
図２，３，４に示すように、右及び左の遮蔽体３８が前壁部２３（集草部５）から所定間隔を置いて前方、本体部２４（集草部５）の右（左）の横壁部分から所定間隔を置いて右（左）の横外方、本体部２４（集草部５）の後壁部分から所定間隔を置いて後方に配置されており、右及び左の遮蔽体３８と前壁部２３（集草部５）、本体部２４（集草部５）の右（左）の横壁部分、本体部２４（集草部５）の後壁部分との間に空間が形成されている。図２に示す作業状態において、右及び左の遮蔽体３８が自重で垂れ下がって、地面に接する状態となっている。図３及び図４に示すように、本体部２４（集草部５）の後壁部分において、右及び左の遮蔽体３８の後の端部が所定間隔を置いて離れており、右及び左の遮蔽体３８の後の端部の間に開放部３９が形成されている。
【００２５】
以上の構造により、図２，３，４に示すように、芝刈作業時において遮蔽体３４，３７により、モア４から発生する埃や騒音が、前方や右及び左の横外方に出て行く状態が抑えられる。刈刃１８の回転によって発生した風が、本体部２４（集草部５）の右及び左の横壁部分（パンチングメタル３０）、後壁部分（パンチングメタル３０）、天井部分（パンチングメタル３０）から右及び左の横外方、後方に排出されて、右及び左の遮蔽体３８と前壁部２３（集草部５）、本体部２４（集草部５）の右（左）の横壁部分、本体部２４（集草部５）の後壁部分との間の空間を通り、開放部３９から後方に排出される。集草部５から発生する埃や刈刃１８の回転によって発生した風による騒音が集草部５から右及び左の横外方に出て行く状態が、右及び左の遮音体３８により抑えられる。
【００２６】
図２に示すように、遮蔽体３４，３７、右及び左の遮蔽体３８が地面に接する状態で走行しても、地面に沿って馴染むように遮蔽体３４，３７、右及び左の遮蔽体３８が変位するので、遮蔽体３４，３７、右及び左の遮蔽体３８が走行の邪魔になるようなことがない。
【００２７】
芝刈作業が終了した場合、前述のように、昇降シリンダ２９により集草部５を平行に上昇駆動し、昇降シリンダ３１により前壁部２３（集草部５）に対し本体部２４（集草部５）及び天井部２５（集草部５）を横軸芯Ｐ２周りに上昇駆動して、刈芝を本体部２４（集草部５）から下方に排出する場合（排出状態）、右及び左の遮蔽体３８が任意に変位して邪魔になることがない。集草部５を前述の排出状態から図２に示す作業状態に戻す場合、右及び左の遮蔽体３８が任意に変位して邪魔になることがないのであり、右及び左の遮蔽体３８が図２に示す作業状態に支障なく戻る。
【００２８】
［発明の実施の別形態］
前述の［発明の実施の形態］において、モアデッキ１７の左右中央の後部に刈芝排出口２１を備えたり、右及び左の伝動ケース１１の間にダクト２２を備えるのではなく、モアデッキ１７の右又は左の端部に刈芝排出口２１を備え、右又は左の後輪３の横外側にダクト２２を備えるように構成してもよい。
【００２９】
前述のように構成した場合、ダクト２２が本体部２４（集草部５）又は天井部２５（集草部５）の右又は左の横壁部分に挿入される状態となるのであり、右及び左の遮蔽体３８の前の端部を所定間隔を置いて離す必要が無い（右及び左の遮蔽体３８の前の端部を延長して接続すればよい）。前述のようにモアデッキ１７の右又は左の端部に刈芝排出口２１を備えた場合、刈芝排出口２１の部分にブロア（図示せず）を備えて、ブロアの風により刈芝をダクト２２から集草部５に供給するように構成してもよく、モア４を機体の前部（右及び左の前輪２の前側）に備えるように構成してもよい。
【００３０】
前述の［発明の実施の形態］において、右及び左の遮蔽体３８の後の端部を所定間隔を置いて離して、右及び左の遮蔽体３８の後の端部の間に開放部３９を形成するのではなく、右及び左の遮蔽体３８の後の端部を延長して接続し、本体部２４（集草部５）の後壁部分に対応する右及び左の遮蔽体３８の部分に開口部を備えて、開放部３９としてもよい。
【００３１】
【発明の効果】
請求項１の特徴によると、乗用型芝刈機において、モアの刈刃やブロアの風により刈芝をダクトから集草部に供給するように構成した場合、モアの刈刃やブロアの風による騒音が遮音体によって抑えられ、モアの刈刃やブロアの風による騒音が集草部から右及び左の横外方に出て行く状態を抑えることができるようになって、乗用型芝刈機の作業環境を良いものにすることができた。
請求項１の特徴によると、集草部の後部を開放する開放部を備えることによって、集草部に刈芝が充分に詰め込まれないと言う状態を避け、集草部の右及び左側に均等に刈芝が詰め込まれるようにすると言う面で有利なものとして、乗用型芝刈機の作業性能を確保している。
【００３２】
請求項２の特徴によると、請求項１の場合と同様に前述の請求項１の「発明の効果」を備えており、この「発明の効果」に加えて以下のような「発明の効果」を備えている。
請求項２の特徴によると、遮音体を可撓性を備えたシート状に構成することにより、モアの刈刃やブロアの風による騒音が集草部から右及び左の横外方に出て行く状態を抑える為に、例えば遮音体を地面に接するまで下方に延出しても、遮音体が走行の邪魔になるようなことがないので、乗用型芝刈機の作業性能を確保しながら、乗用型芝刈機の作業環境を良いものにすることができた。
【００３３】
請求項３の特徴によると、請求項１又は２の場合と同様に前述の請求項１又は２の「発明の効果」を備えており、この「発明の効果」に加えて以下のような「発明の効果」を備えている。
請求項３の特徴によると、集草部の右及び左の横側部から所定間隔を置いて遮音体を配置し、集草部の右及び左の横側部と遮音体との間に空間を形成することにより、モアの刈刃やブロアの風が集草部の排風部から前述の空間を介して排出され易くなるようにし、集草部に刈芝が充分に詰め込まれないと言う状態を避けることにより、乗用型芝刈機の作業性能を確保している。
【図面の簡単な説明】
【図１】遮音体を取り付けていない状態での乗用型芝刈機の全体側面図
【図２】遮音体を取り付けている状態での乗用型芝刈機の全体側面図
【図３】遮音体を取り付けている状態での乗用型芝刈機の横断平面図
【図４】遮音体を取り付けている状態での集草部の背面図
【符号の説明】
４        モア
５        集草部
２２      ダクト
３０      排風部
３８      遮音体
３９      開放部
【図１】
2004229561.tif 000003
【図２】
2004229561.tif 000004
【図３】
2004229561.tif 000005
【図４】
2004229561.tif 000006